(57)【要約】【課題】  周囲の状況に応じて使い勝手を優先した展開状態と、スペース効率を優先した収納状態とを適宜切り換えることができるようにする。【解決手段】  本発明の予備苗台１は、固定側予備苗搭載部２と、可動側予備苗搭載部３とを備えている。固定側予備苗搭載部２は、固定側フレーム２１と、固定側フレーム２１に上下方向へ互いに間隔をおいて列設された複数の固定側受け台２２とを備えている。可動側予備苗搭載部３は、固定側予備苗搭載部２に対して移動可能に支持された可動側フレーム３１と、該可動側フレーム３１に上下方向へ互いに間隔をおいて列設された複数の可動側受け台３２とを備えている。可動側フレーム３１は、固定側予備苗搭載部２の側方に位置する展開状態と該展開状態よりも相対的に該固定側予備苗搭載部側に位置する収納状態との間で移動可能に支持されている。【選択図】      図１
2008271926.tif 000002
【特許請求の範囲】
【請求項１】
固定側予備苗搭載部と、該固定側予備苗搭載部に対して移動可能に支持された可動側予備苗搭載部とを備え、該両予備苗搭載部の各受け台に苗箱が載置されるように構成された予備苗台であって、
前記固定側予備苗搭載部は、苗移植機の機体に取り付けられる固定側フレームと、前記固定側フレームに上下方向へ互いに間隔をおいて列設された複数の固定側受け台とを備え、
前記可動側予備苗搭載部は、前記固定側予備苗搭載部に対して移動可能に前記機体又は前記固定側フレームに支持された可動側フレームと、該可動側フレームに上下方向へ互いに間隔をおいて列設された複数の可動側受け台とを備え、
前記可動側フレームには、前記固定側予備苗搭載部の側方に位置する展開状態と該展開状態よりも相対的に該固定側予備苗搭載部側に位置する収納状態との間で移動可能に支持されるとともに、該収納状態において前記可動側受け台の少なくとも一部分が前記固定側受け台同士の間に進入しているように前記可動側受け台が列設された予備苗台。
【請求項２】
前記可動側フレームは、前記固定側予備苗台搭載部と前記可動側予備苗台搭載部との間における前記機体又は前記固定側フレームに支持された垂直軸を中心に回動移動自在に支持された請求項１記載の予備苗台。
【請求項３】
前記可動側フレームは、前記機体又は前記固定側フレームに設けられた略横方向に延びるスライド手段により略横方向にスライド移動自在に支持された請求項１記載の予備苗台。
【請求項４】
請求項１〜３のいずれか一項に記載の予備苗台を備えた苗移植機。
【発明の詳細な説明】
【技術分野】
【０００１】
本発明は、予備苗台及びそれを備えた苗移植機に関するものである。
【背景技術】
【０００２】
従来のこの種の予備苗台及びそれを備えた苗移植機としては、特許文献１に記載されたものを例示する。この苗移植機は、走行車体の後側に苗植付部を装着して設け、走行車体前部のフロントカバ−の左右両側方に予備苗台５１を設置してある。そして、前記フロントカバ−は前端側へいくにつれて左右幅が狭くなるように構成し、図８に示すように、フロントカバ−前部の左右側方に予備苗台５１の回動支点軸５２を配置し、予備苗台５１が標準位置で機体前端より後側に納まり、前方へ回動すると機体前端より突出するように設け、予備苗台５１の３６０度回動軌跡の外側にフロントカバ−が位置する構成としてある。予備苗台には、上下方向に３つの受け台５３が列設されており、該３つの受け台５３が一体的に回動するようになっている。
【０００３】
【特許文献１】特開２００５−１９２４６２号公報
【発明の開示】
【発明が解決しようとする課題】
【０００４】
ところが、従来の苗移植機における予備苗台５１は、回動支点軸５２を中心に全体が一体的に回動するように構成されているので、苗箱の積載可能数を増やすために受け台５３の設置台数を増加する場合に、次の課題がある。
（１）受け台５３の上下方向の段数を多くすると、上側の受け台５３の設置位置が高くなってしまったり、受け台５３同士の間隔が狭くなってしまったりし、苗箱の出し入れがし難くなる。
（２）受け台５３の左右方向の配設列数を２以上にすると、予備苗台５１の回動のために必要なスペースが大きくなり、機体への設置が難しくなる。
【課題を解決するための手段】
【０００５】
上記課題を解決するために、本発明の予備苗台は、固定側予備苗搭載部と、該固定側予備苗搭載部に対して移動可能に支持された可動側予備苗搭載部とを備え、該両予備苗搭載部の各受け台に苗箱が載置されるように構成された予備苗台であって、
前記固定側予備苗搭載部は、苗移植機の機体に取り付けられる固定側フレームと、前記固定側フレームに上下方向へ互いに間隔をおいて列設された複数の固定側受け台とを備え、
前記可動側予備苗搭載部は、前記固定側予備苗搭載部に対して移動可能に前記機体又は前記固定側フレームに支持された可動側フレームと、該可動側フレームに上下方向へ互いに間隔をおいて列設された複数の可動側受け台とを備え、
前記可動側フレームには、前記固定側予備苗搭載部の側方に位置する展開状態と該展開状態よりも相対的に該固定側予備苗搭載部側に位置する収納状態との間で移動可能に支持されるとともに、該収納状態において前記可動側受け台の少なくとも一部分が前記固定側受け台同士の間に進入しているように前記可動側受け台が列設されている。
【０００６】
この構成によれば、前記展開状態においては、前記可動側予備苗搭載部が前記固定側予備苗搭載部の側方に位置するので、予備苗台全体の占有スペースが増大するが、各固定側受け台及び各可動側受け台の上方のスペースが広くなり、予備の苗箱の出し入れがし易くなる。これに対し、前記収納状態においては、前記可動側予備苗搭載部が展開状態よりも相対的に該固定側予備苗搭載部側に位置するとともに、前記可動側受け台の少なくとも一部分が前記固定側受け台同士の間に進入している状態となるので、各固定側受け台及び各可動側受け台の上方のスペースが狭くなるが、予備苗台全体の占有スペースが減少する。また、前記展開状態と前記収納状態との状態遷移時には、可動側予備苗搭載部だけが移動するので、該状態遷移のために必要なスペースは従来と同程度で済む。このように、予備の苗箱の積載可能数を多めにとることができ、周囲の状況に応じて使い勝手を優先した展開状態と、スペース効率を優先した収納状態とを適宜切り換えることができる。
【０００７】
前記可動側フレームとしては、特に限定されないが、次の態様を例示する。
（１）前記固定側予備苗台搭載部と前記可動側予備苗台搭載部との間における前記機体又は前記固定側フレームに支持された垂直軸を中心に回動移動自在に支持された態様。
（２）前記機体又は前記固定側フレームに設けられた略横方向に延びるスライド手段により略横方向にスライド移動自在に支持された態様。
【０００８】
また、本発明の苗移植機は、いずれかの態様の前記予備苗台を備えている。
【０００９】
この構成によっても、前記予備苗台と同様の効果が得られる。
【発明の効果】
【００１０】
本発明に係る予備苗台及びそれを備えた苗移植機によれば、予備の苗箱の積載可能数を多めにとることができ、周囲の状況に応じて使い勝手を優先した展開状態と、スペース効率を優先した収納状態とを適宜切り換えることができる。
【発明を実施するための最良の形態】
【００１１】
図１〜図７は本発明を具体化した一実施形態の予備苗台１及びそれを備えた苗移植機１０を示している。この苗移植機１０は、乗用型であり、図１及び図５に示すように走行車輪としての左右一対の前輪１１及び左右一対の後輪１２と、該走行車輪により圃場を走行可能に支持された機体１３と、該機体１３の後部に設けられた苗移植装置１４とを備えている。機体１３の前部には操縦ハンドル等を含む操縦装置１５が設けられ、該操縦装置１５の後側には運転席１６が設けられている。運転席１６の後側における機体１３の両側部には、それぞれ予備苗台１が配設されている。なお、各図において、矢印Ｆは機体前側を指し示している。
【００１２】
予備苗台１は、図１〜図７に示すように、苗移植装置１４に供給するための予備の苗箱Ｂを積載しておくためのものであり、固定側予備苗搭載部２と、該固定側予備苗搭載部２に対して移動可能に支持された可動側予備苗搭載部３とを備えている。
【００１３】
固定側予備苗搭載部２は、機体１３に取り付けられる固定側フレーム２１と、固定側フレーム２１に上下方向へ互いに間隔をおいて列設された複数の固定側受け台２２とを備えている。固定側フレーム２１には、垂直軸支持穴２３、展開状態用固定穴２４及び収納状態用固定穴２５が設けられている。固定側フレーム２１は、機体１３から側方へ突設された横フレーム１７に支持されている。この横フレーム１７は、側方への突出長さを調節可能に構成されており、これにより固定側フレーム２１の横方向における配設位置を調節可能にしている。
【００１４】
可動側予備苗搭載部３は、固定側予備苗搭載部２に対して移動可能に固定側フレーム２１に支持された可動側フレーム３１と、該可動側フレーム３１に上下方向へ互いに間隔をおいて列設された複数の可動側受け台３２とを備えている。可動側フレーム３１には、垂直軸支持穴２３、展開状態用固定穴２４及び収納状態用固定穴２５にそれぞれ挿入可能に下方へ突設された垂直軸３３、展開状態用固定ピン３４及び収納状態用固定ピン３５が設けられている。可動側フレーム３１は、その垂直軸３３が固定側フレーム２１の垂直軸支持穴２３に上下スライド可能かつ回動自在に上から挿入されることにより、固定側予備苗搭載部２の側方に位置する展開状態（図１〜図４参照）と該展開状態よりも相対的に該固定側予備苗搭載部側に位置する収納状態（図５〜図７参照）との間で移動可能に支持されるとともに、該収納状態において可動側受け台３２の少なくとも一部分が固定側受け台２２同士の間に進入しているように可動側受け台３２が列設されている。展開状態用固定ピン３４又は収納状態用固定ピン３５をそれぞれ展開状態用固定穴２４又は収納状態用固定穴２５に挿入するために可動側フレーム３１を上方に持ち上げたときに、垂直軸３３が垂直軸支持穴２３から抜けないように、垂直軸３３は、展開状態用固定ピン３４及び収納状態用固定ピン３５よりも長く形成されている。
【００１５】
次に、本例の予備苗台１の操作方法について説明する。例えば、図１〜図４に示す展開状態から図５〜図７に示す収納状態に変更し、所定の収納スペースＳ（例えば運搬用トラックの荷台）内に格納可能にする場合、まず、可動側フレーム３１を持ち上げることにより、展開状態用固定穴２４から展開状態用固定ピン３４を抜き、垂直軸３３を中心に、図３に二点鎖線で示す矢印方向へ可動側フレーム３１を回動させる。次いで、可動側フレーム３１を図７に示す状態まで回動させ、可動側フレーム３１を降ろすことにより、収納状態用固定穴２５に収納状態用固定ピン３５を挿入する。そして、図５に示すように適宜横フレーム１７の突出長さを短く調節すると、状態の変更が完了する。なお、以上の操作を逆に行うと、収納状態から展開状態に変更することができる。
【００１６】
以上のように構成された本例の予備苗台１及びそれを備えた苗移植機１０によれば、展開状態においては、可動側予備苗搭載部３が固定側予備苗搭載部２の側方に位置するので、予備苗台１全体の占有スペースが増大するが、各固定側受け台２２及び各可動側受け台３２の上方のスペースが広くなり、予備の苗箱Ｂの出し入れがし易くなる。これに対し、収納状態においては、可動側予備苗搭載部３が展開状態よりも相対的に該固定側予備苗搭載部側に位置するとともに、可動側受け台３２の一部分が固定側受け台２２同士の間に進入している状態となるので、各固定側受け台２２及び各可動側受け台３２の上方のスペースが狭くなるが、予備苗台１全体の占有スペースが減少する。また、展開状態と収納状態との状態遷移時には、可動側予備苗搭載部３だけが移動するので、該状態遷移のために必要なスペースは従来と同程度で済む。このように、予備の苗箱Ｂの積載可能数を多めにとることができ、周囲の状況に応じて使い勝手を優先した展開状態と、スペース効率を優先した収納状態とを適宜切り換えることができる。
【００１７】
なお、本発明は前記実施形態に限定されるものではなく、例えば以下のように、発明の趣旨から逸脱しない範囲で適宜変更して具体化することもできる。
（１）可動側フレーム３１は、機体１３又は固定側フレーム２１に設けられた略横方向に延びるスライド手段により略横方向にスライド移動自在に支持された態様とすること。
（２）苗移植機１０に対する予備苗台１の配設位置や配設台数を適宜変更すること。
（３）固定側予備苗搭載部２や、可動側予備苗搭載部３に設けられた固定側受け台２２や、可動側受け台３２の配設位置、配設数、配設列数等をそれぞれ適宜変更すること。
【図面の簡単な説明】
【００１８】
【図１】本発明を具体化した一実施形態に係る予備苗台（展開状態）を備えた苗移植機を示す平面図である。
【図２】図１のＩＩ矢視図である。
【図３】図２のＩＩＩ−ＩＩＩ線断面図である。
【図４】図１のＩＶ矢視図である。
【図５】同予備苗台（収納状態）を備えた苗移植機を示す平面図である。
【図６】図５のＶＩ矢視図である。
【図７】図６のＶＩＩ−ＶＩＩ線断面図である。
【図８】従来の移植機における予備苗台を示す平面図である。
【符号の説明】
【００１９】
１    予備苗台
２    固定側予備苗搭載部
３    可動側予備苗搭載部
１０    苗移植機
１３    機体
１４    苗移植装置
１７    横フレーム
２１    固定側フレーム
２２    固定側受け台
２３    垂直軸支持穴
２４    展開状態用固定穴
２５    収納状態用固定穴
３１    可動側フレーム
３２    可動側受け台
３３    垂直軸
３４    展開状態用固定ピン
３５    収納状態用固定ピン
Ｂ    苗箱
Ｓ    収納スペース
【図１】
2008271926.tif 000003
【図２】
2008271926.tif 000004
【図３】
2008271926.tif 000005
【図４】
2008271926.tif 000006
【図５】
2008271926.tif 000007
【図６】
2008271926.tif 000008
【図７】
2008271926.tif 000009
【図８】
2008271926.tif 000010